(57)【要約】【課題】ＣＡＤソフトウエアや各種ＯＡソフトウエアで作成された設計情報データを相手先に配布しようとした時、大容量のデータが送信できないという問題があった。またファイルフォーマットやファイル容量などの制約なしに確実に相手にＣＡＤデータや設計情報データを提供する仕組みを構築する必要がある。【解決手段】通信回線に相互に接続された設計情報発信元端末および送付先端末と、送付する設計情報データを一時的に格納するデータ格納サーバを設け、設計情報発信元がデータ格納サーバ上に送り先向けにあらかじめ準備したフォルダに送付する設計情報データを格納されると、あらかじめ登録されていたメールアドレスに対して、新たに設計情報データがフォルダに登録された事を送付先に電子メールにて自動通知を行い、送付先がフォルダから設計情報データを引出せる。【選択図】        図１
2004258720.tif 000002
【特許請求の範囲】
【請求項１】
設計情報発信元の端末および送付先の端末と相互通信可能に接続され、ＣＡＤ数値データ等の設計情報データを格納可能なデータ格納サーバと、前記データ格納サーバに特定の送り先向けとしてあらかじめ準備され、前記設計情報発信元が前記設計情報データを格納可能なフォルダと、前記データ格納サーバに設けられ、前記設計情報データが前記フォルダに格納されるとあらかじめ登録されていた前記送付先のメールアドレスに前記設計情報データが格納されたという自動通知を行う機能、および前記送付先が前記設計情報データを取り出すと前記設計情報発信元のメールアドレスに送付した前記設計情報データが受領されたという自動通知を行う機能を有する情報連絡手段と、備えたことを特徴とする設計情報データ通信装置。
【請求項２】
前記データ格納サーバは端末にはブラウザが組み込まれ前記設計情報データの受け渡しにはＷＥＢ機能で仲介することにより、複数の設計情報発信元の端末から格納された前記設計情報データを複数の送付先が通信により入手可能であることを特徴とする請求項１記載の設計情報データ通信装置。
【請求項３】
前記設計情報発信元の端末、前記送付先の端末および前記データ格納サーバの間で送、受信される前記設計情報データは暗号化されていることを特徴とする請求項１または２記載の設計情報データ通信装置。
【請求項４】
前記データ格納サーバは、前記送付先の端末からデータを取りに行く場合、前記送付先の端末の状態に関係なく前記送付先の端末へ前記設計情報データを自動的に送信することを特徴とする請求項１乃至３のいずれかに記載の設計情報データ通信装置。
【請求項５】
設計情報発信元の端末および送付先の端末と相互通信可能に接続され、ＣＡＤ数値データ等の設計情報データを格納可能なデータ格納サーバと、前記データ格納サーバに特定の送り先向けとしてあらかじめ準備され、前記設計情報発信元が前記設計情報データを格納可能なフォルダと、前記データ格納サーバに設けられ、前記設計情報データが前記記憶装置に格納されるとあらかじめ登録されていた前記送付先のメールアドレスに前記設計情報データが格納されたという自動通知を行う情報連絡手段と、を備え、前記設計情報データの受け渡しに前記データ格納サーバを通し、前記設計情報データの発信者が特定されることなく個々に多数の前記設計情報データの利用者がデータを引き出せることを特徴とする設計情報データ通信装置。
【請求項６】
複数の設計情報発信元の端末および複数の送付先の端末と相互通信可能に接続され、ＣＡＤ数値データ等設計情報データを一時的に格納可能なデータ格納サーバに、特定の送り先向けとして前記設計情報データが格納されたことを登録されている前記送付先のメールアドレスに自動通知を行うステップと、前記送付先が前記データ格納サーバーから格納された前記設計情報データを引き出すステップと、前記設計情報データが前記送付先に引き出された後で前記設計情報データを抹消するステップと、を備えたことを特徴とする設計情報引出し方法。
【請求項７】
前記設計情報データが前記送付先に引き出された後で、前記設計情報データを抹消する前に、前記データ格納サーバは前記発信元の端末に、前記送付先の端末が前記設計情報データを受領したことを自動的に通知することを特徴とする請求項６記載の設計情報引出し方法。
【発明の詳細な説明】
【０００１】
【発明の属する技術分野】
本発明はＣＡＤソフトウエアまた各種ＯＡソフトウエアで作成された設計情報を、遠隔地の利用者に設計情報データとして受け渡すための装置や配布方法に関するものである。
【０００２】
【従来の技術】
ＣＡＤソフトウエアや各種ＯＡソフトウエアで作成された設計情報を利用者に配布しようとした場合、ＣＡＤソフトウエアや各種ＯＡソフトは独自のファイルフォーマットを採用している場合が多いので、一般的にはそれぞれのソフトウエアで紙に印刷して郵便や宅配便などを利用して、相手先に配布している。
【０００３】
最近は紙の図面でなくＣＡＤデータを利用して直接金型加工や材料切削等の為の数値工作機器用の加工データを作成する事が多くなり，ＣＡＤデータや設計情報データをＤＶＤやＣＤ−ＲＯＭなどの外部記録媒体にコピーして送付先に渡し、また電子メールにデータを添付して送付先にＣＡＤデータや設計情報データの送付を行っている。（特許文献１）
【０００４】
【特許文献１】
特開２００２−３２９０８１号公報（００２６欄、００２７欄、図３）
【０００５】
【発明が解決しようとする課題】
しかしながら紙や各種メディアによる配布方法では、郵便や宅配便などで、配布途中にて第３者が介在することから紛失や盗難によるＣＡＤデータや設計情報データの外部流出といった問題がある。さらに、ＣＡＤデータ、設計情報データの配布に時間が掛かり、ほしい時にほしいデータが手に入らず、また、ＣＡＤデータを利用した製造に手間取り費用も増大する。
【０００６】
また安全のための受領確認に手間および時間が掛かるといった問題がある。更に海外での製造に利用したい場合は時間遅れが一層大きな問題となる。
【０００７】
またインターネットの電子メールを利用した方法では、添付出来る設計情報のデータのファイル容量に制限があり、通常一般的には最大１Ｍバイト〜２Ｍバイトと言われている。これに対し３次元ＣＡＤで作成したモデルデータは、２次元ＣＡＤにて作成した図面データが線，円弧などの要素と座標情報もつのに比べ、稜線，面，面方向，位相などの情報を持つ為、データ容量は１０倍から１００倍にもなる。そのため、３次元ＣＡＤデータなどの大容量のファイルや２次元ＣＡＤであっても多数の図面データは電子メールで送る事が出来ない。
【０００８】
また文献１の如く各ユーザーに対応したファイルフォーマットやファイル要領などの制約を考えて、ＣＡＤデータに大量の情報を変換するため大掛かりな設備を必要とする問題がある。さらに、ハッカーなどに電子メールを盗聴された場合ＣＡＤデータや設計情報データが外部流出してしまうなどセキュリティの問題がある。
【０００９】
この発明は上記のような問題点を解決するためになされたもので、大容量のデータを安全に迅速に配布できる装置や方法を提案するものである。また設計情報データを必要とする誰でもが何処からでも利用できる特定のユーザー対応で無く、特定のシステムや情報対応でもない一般的なものを提案する。
【００１０】
【課題を解決するための手段】
本発明の設計情報データ通信装置は、設計情報発信元の端末および送付先の端末と相互通信可能に接続され、ＣＡＤ数値データ等の設計情報データを格納可能なデータ格納サーバと、データ格納サーバに特定の送り先向けとしてあらかじめ準備され、設計情報発信元が設計情報データを格納可能なフォルダと、データ格納サーバに設けられ、設計情報データが前記フォルダに格納されるとあらかじめ登録されていた送付先のメールアドレスに設計情報データが格納されたという自動通知を行う機能、および送付先が設計情報データを取り出すと設計情報発信元のメールアドレスに送付した設計情報データが受領されたという自動通知を行う機能を有する情報連絡手段と、備えたものである。
【００１１】
本発明の設計情報データ通信装置は、設計情報発信元の端末および送付先の端末と相互通信可能に接続され、ＣＡＤ数値データ等の設計情報データを格納可能なデータ格納サーバと、データ格納サーバに特定の送り先向けとしてあらかじめ準備され、設計情報発信元が設計情報データを格納可能なフォルダと、前記データ格納サーバに設けられ、設計情報データが記憶装置に格納されるとあらかじめ登録されていた送付先のメールアドレスに設計情報データが格納されたという自動通知を行う情報連絡手段と、を備え、設計情報データの受け渡しにデータ格納サーバを通し、設計情報データの発信者が特定されることなく個々に多数の設計情報データの利用者がデータを引き出せる。
【００１２】
本発明の設計情報引出し方法は、複数の設計情報発信元の端末および複数の送付先の端末と相互通信可能に接続され、ＣＡＤ数値データ等設計情報データを一時的に格納可能なデータ格納サーバに、特定の送り先向けとして設計情報データが格納されたことを登録されている送付先のメールアドレスに自動通知を行うステップと、送付先がデータ格納サーバーから格納された設計情報データを引き出すステップと、設計情報データが送付先に引き出された後で設計情報データを抹消するステップと、を備えたものである。
【００１３】
【発明の実施の形態】
実施の形態１．
次に本発明の設計情報データ通信装置を利用した電子出図システムの実施形態について図面を参照して詳細に説明する。
【００１４】
図１は本発明の電子出図システムである設計情報データを送受信する通信の構成を説明する図である。設計情報データ発信元端末１０と設計情報データ送付先端末２０とこれら設計情報データを一時的に預かり保管するデータ格納サーバ３０で構成されており、これら端末はすべて通信回線４０で接続されている。設計情報データ発信元端末１０、設計情報データ送付先端末２０とも複数台接続可能であり、通信回線は各地に散在するコンピュータネットワーク（ＬＡＮやＷＡＮ）同士を専用線などによって接続した巨大なネットワークであるインターネットを利用する。
【００１５】
設計情報データ発信元端末１０と設計情報データ送付先端末２０はパーソナルコンピュータ等の情報処理装置であり、インターネットのＷＥＢサーバにアクセスする為、Ｈｙｐｅｒ  Ｔｅｘｔ  Ｍａｋｅｕｐ  Ｌａｎｇｕａｇｅ（以下ＨＴＭＬと称する）で記述されたハイパーテキストを解読し、ＨＴＴＰプロトコルによるファイル転送を行なう為のブラウザソフトウエア、電子メールソフトウエア、ユーザ認証および暗号化及び復号化の為の公開鍵暗号技術によるソフトウエアが装備されている。データ格納サーバは、大容量の磁気記憶装置を装備したパーソナルコンピュータ等の情報処理装置であり、インターネット上でＷＥＢサーバとなる為のソフトウエア、電子メール、ＨＴＴＰプロトコルによるファイル転送を行なう為のファイル転送プログラム、公開鍵暗号技術によるユーザ認証および暗号化及び復号化のソフトウエアが装備されている。このように各端末とは異なり外部記憶媒体を使用するので容量に無関係に、即ち大容量のデータを複数記憶させ、送受信でき、迅速な処理も可能になる。
【００１６】
次に本発明の動作について説明する。本システムを利用する為には、データ発信元である送信者およびデータ受信者（データ送付先）ともデータ格納サーバにユーザ登録が必要であり、データ格納サーバ管理者がユーザ登録を行なう。設計情報発信元のデータ送信者はデータ格納サーバ管理者へユーザ登録申請を行うが、設計情報データ送付先のユーザ登録も合わせて申請する。ユーザ情報登録例として、データ送信者のユーザ名、パスワード、更に設計情報を記録する磁気ディスク装置の記録場所ならびに記録容量制限、また図３に示すデータ送信先ユーザ毎の設計情報の保管場所ならびに各送信先のユーザがデータ管理サーバへアクセスする為のユーザ名、パスワード、などの情報を登録する。
【００１７】
次に図１０を用いて実際の設計情報送受信の動作を説明する。設計情報データ発信元である送信者は自分の端末１０を用いインターネットにアクセスするためブラウザソフトを利用して、データ格納サーバ３０に通信回線４０のインターネットを介してアクセスする。これに応答して、データ格納サーバはステップ１００にて設計情報データ送信元端末１０にユーザ名とパスワードの要求を送信する。この時、設計情報データ送信元端末１０は、図２に示すユーザ名とパスワードを入力する画面が表示されるので、設計情報データ送信者は、予めデータ格納サーバ３０の管理者から発行されたユーザ名とパスワードを入力する。この間のデータのやり取りは公開鍵暗号機能により暗号化されている。
【００１８】
設計情報データ発信元である送信者のユーザ名を受け付けたデータ格納サーバ３０は、設計情報データ送信元端末１０のブラウザ画面に図３に示すように、ユーザ毎、予めユーザ登録されている送信先のフォルダ一覧を表示する。このフォルダは予め設定された送り先として準備されており、このフォルダがその指定された相手に送付するデータを入れるための引出しのようなものでフォルダを選択することは、この引出しを開けるということに相当する。
【００１９】
データ格納サーバは、ユーザ毎のログイン管理を行っているため一度に複数の発信元、即ちデータ送信者が利用でき、更に各ユーザそれぞれ送信先のフォルダが持てる。またユーザの送信先フォルダならびに、そのフォルダに登録された設計情報データは他ユーザからはフォルダの表示も含めてアクセス出来ないようにセキュリティが懸けられており、データ格納サーバにアクセスするユーザ間で設計情報データが漏洩することはない。
【００２０】
設計情報データ送信者はパソコン画面上で送信先の名前を操作することによりフォルダを選択して、ブラウザのファイル転送プログラムを利用して設計情報データを送信する。設計情報データとしては、２次元ＣＡＤにて作成した図面データの線，円弧などの要素と座標情報や、３次元ＣＡＤで作成したモデルデータ、稜線，面，面方向，位相などの情報等、あるいは各種ソフトで製作された設計情報などがあるが、図４に示すブラウザ画面に送信する設計資料データのファイルをドラッグアンドドロップする事でファイルは送信される。ステップ２００にてデータ格納サーバ３０に設計情報データが受信され格納される。この時送信している設計資料データは、公開鍵技術により暗号化されて送信される。送信されたデータは予めユーザ登録時に設定されたフォルダに格納される。
【００２１】
データ格納サーバ３０は、送信先のフォルダに設計情報データが格納されると、ステップ３００にて自動的に送信先に設計情報データが登録された旨の連絡と設計情報データの格納場所を指示する即ち情報が格納されているＵＮＩＦＯＲＭＲＥＳＯＵＣＥ  ＬＯＣＡＴＩＯＮ（以下ＵＲＬと称する）を連絡するため、図５に示す電子メールを自動的に発信する。
【００２２】
設計情報データを受信する送信先担当者は、設計情報データ送信先端末２０において、データ格納サーバ３０より届いた、図５に示す電子メールを開き、記載されているＵＲＬを元にブラウザを利用してデータ格納サーバ３０に通信回線４０のインターネットを介してアクセスする。これに応答して、データ格納サーバはステップ４００にて設計情報データ送信先端末２０にユーザ名とパスワードの要求を送信する。この時、設計情報データ送信先端末２０はユーザ名とパスワードを入力する図２に示す画面が表示されるので、設計情報データ送信先の担当者は、予めデータ格納サーバ３０の管理者から発行されたユーザ名とパスワードを入力する。この間のデータのやり取りはブラウザのセキュリティ機能により暗号化されている。
【００２３】
設計情報データ送信先端末のユーザ名を受け付けたデータ格納サーバ３０は、設計情報データ送信先端末２０のブラウザ画面に図６に示すように、フォルダ内の設計情報データの一覧を表示する。
【００２４】
ステップ５００にて設計情報データ送信先担当者は一覧表示されている設計情報ファイルを選択してブラウザのファイル転送プログラムを利用して設計情報データを送信先端末２０にダウンロードする。図７はダウンロードするデータを端末２０に保存する画面の例を示す。ダウンロードするデータは、公開鍵技術により暗号化されて送信されるがダウンロードが完了すると送信先端末２０において自動的に復号化され端末に保存される。
【００２５】
データ格納サーバ３０は、ステップ６００にて送信先のフォルダの設計情報データが送信先にダウンロードされると、自動的に発信元に設計情報データが送信先に転送された旨の連絡するため、電子メールを自動的に発信する。
【００２６】
設計情報データが送信先にダウンロードが完了すると、ステップ７００によりデータ格納サーバ３０は、格納データを抹消する。この抹消は発信元に設計情報データが受領されたことを自動的にメールされ、かつ、このメールが開かれたことを確認してから行うことにより正確な処理が行われる。但し、この抹消を更に発信元に対し抹消せよとの指令を要求し、この指令が来てから行う様にすれば更に確実になる。
【００２７】
本発明の電子出図システムは、通信回線に相互に接続された設計情報発信元端末および送付先端末と、送付する設計情報データを一時的に格納するデータ格納サーバにおいて、設計情報発信元がデータ格納サーバ上の送り先向けにあらかじめ準備したフォルダに送付する設計情報データを登録、データ格納サーバは設計情報データが登録されるとあらかじめ登録されていたメールアドレスに設計情報データが登録された事を送付先に電子メールにて自動通知を行い、さらにデータ格納サーバは送付先が設計情報データを取り出すと発信先に受領の電子メールが発信する機能を備えたもので、この構成により、図３の如く複数のデータ送付先を予め登録しておけば簡単に図面データや仕様書、特性データなどのような設計情報データが必要なところへ迅速に送信できる。
【００２８】
また本発明は、通信回線は、インターネットであり、また端末にはブラウザが組み込まれているので、データの受け渡しにはＷＥＢ機能を持つデータ格納サーバが仲介することにより、設計情報データをデータ容量に関係なく送付先へ転送することが可能になり、３次元ＣＡＤのようなデータを金型製造者に送ったり、設計部門から製造部門のＮＣマシーンに直接データを送ったり、海外の製造工場へ送付したり、社内の各部門間の設計に関する製造品の特性やコスト情報、材料基準や仕様など各種情報、あるいはＯＡ情報に関するものなどが正確に、安全に、迅速に処理出来る。また登録ユーザにデータ量などで課金することでデータ転送サービスなどのビジネスにも応用が可能となる。
【００２９】
データ格納サーバへのデータの転送、受信はすべて暗号化され、かつ、その暗号の回答は登録されたパソコンの操作で簡単に行えるので安全なデータ送信が迅速ら処理可能である。
【００３０】
従来の技術の様に発信者が送付先に一方的にデータを送りだす、送り出し方式、のデータの送付では無く、データ格納サーバ３０が仲介しこれを通すことにより、データ利用者がデータを取りに行く、引き取り方式、にしているので大容量データを送付できるばかりでなく、受信側である送付先の端末の状態が、起動中、停止中に関係無く送付先に設計情報データを転送することが出来る。また受信側にとってみれば都合の良い引き出し方式であり、複数の発信元からの情報を必要に応じ何時でも何処でも引き出せるので、この情報を鮮度良く、かつ、最も有効な時に利用できる。更にデータ格納サーバーを運用する管理部門が発信元から独立した一般的に活用できるシステムのビジネスとして運用されている場合は、どの発信元とも公平に、迅速に対応できるので、国内海外を問わず使い勝手の良い最新の情報を取りこむことが可能になる。
【００３１】
データの受け渡しにＷＥＢ機能を持つデータ格納サーバが仲介することにより、送付先の端末の状態すなわち起動中、停止中に関係なく送付先へ設計情報データを転送することが可能であり、送る方にも受け取る方にも時間の制約が無くなり使い易いシステムが得られる。
【００３２】
データの受け渡しにＷＥＢ機能を持つデータ格納サーバが仲介することにより、データの発信者が特定されることなく多数の発信者が個々に多数のデータ送信先に設計情報データを転送出来る特定の仕様だけにとらわれない一般的なシステムが可能である。
【００３３】
上記で説明した様に、本発明の設計情報データ通信装置は、データ発信元担当者が設計情報データを端末からデータ格納サーバにインターネットを利用して送信する。より具体的には発信元端末はブラウザを利用してインターネットを介してデータ格納サーバにアクセスする、データ格納サーバ管理者から割り当てられた、ユーザを識別する為のユーザ名、パスワードを入力する事によりデータ格納サーバからユーザ名，パスワードに関連付けられたセキュリティ管理の確認を行い、設計情報データを発信可能な者である事の確認を行なう。ユーザ確認が完了すると事前登録済みの送付先ごとのフォルダに、設計情報データをブラウザのファイル転送プログラムを利用して設計情報データを登録する。ファイル転送プログラムを使用するため送付するデータ容量の制約を受けない。この時のデータは公開暗号鍵の仕組みを利用して暗号化されているため送信途中でデータを拾われてもデータの機密は保たれる。データ格納サーバは送付先のフォルダに設計情報データが登録されると、自動的に送付先担当者宛て設計情報データが格納された場所のＵＲＬを記載した電子メールを発信する。インターネットに接続した送付先端末にて、電子メールを受け取った送付先担当者は電子メールに添付されたＵＲＬをもとにブラウザを利用して、データ格納サーバからファイル転送プログラムを利用して送付先端末に設計情報データをダウンロードする。この時もユーザを識別する為のユーザ名、パスワードを入力する事によりデータ格納サーバからユーザ名，パスワードに関連付けられたセキュリティ管理の確認を行い、設計情報データの送付先の者である事の確認を行う機能を有する。無事データのダウンロードが完了すると、データ格納サーバは設計情報発信元へ送付先が設計情報データを受け取った旨の電子メールを発信する機能を有する。この様に発信元や送信先から独立した外部記憶媒体を利用する事により大容量のデータを送る利点と、電子メールの迅速性といった両者のメリットを取りこみ、盗難、盗聴等に対するセキュリティ、あるいは確実な処理のための操作のバックアップを設けることにより、またファイルフォーマットやファイル容量などの制約なしに確実に相手にＣＡＤデータや設計情報データを送付可能として、ペーパレスによる費用削減、設計情報配布工数削減、配布および連絡時間の短縮による開発設計時間の短縮を図ることが可能である。
【００３４】
本発明により、設計データ発信元および送信先は、安価な費用で２４時間いつでも、短時間に設計情報データを発信ならびに受信する事ができる。その理由は通信回線にインターネット、データの送受信にブラウザによるファイル転送プログラムを利用し、セキュリティは公開鍵暗号技術を用い既に一般的になっている技術を組み合わせ、設計情報受け渡しの仲介に、２４時間稼動のデータ格納サーバを設けたためである。その為、図面や紙、その他の外部記憶媒体などに記録して配送するといった事が不要になる。
【００３５】
更に、図９は３次元ＣＡＤデータを利用してモデルを切削するための工具の軌跡を作成する画面の例であるが、最近は紙の図面でなく図９のようにＣＡＤデータを利用して直接金型加工や材料切削等の為の数値工作機器用の加工データを作成する事が多くなり，ＣＡＤソフトウエア独自のデータや、ＩＧＥＳ，ＤＸＦ、ＳＴＥＰといった中間ファイルフォーマットに変換したＣＡＤデータや設計情報データを必要とする。このような膨大な数値などのデータにたいし設計情報データのデータ容量に関係なく、送付先に設計情報データを送付出きる。その理由はブラウザのファイル転送プログラムを利用してデータの受け渡しの間にデータ格納サーバを設けたためである。
【００３６】
更に、設計情報データをセキュアな環境で相手方に送信できる。その理由は、データ格納サーバへのデータの転送、受信はすべて暗号化してデータ転送する機能を有する電子出図システムである。
【００３７】
更に、送信先の端末の状態に関係なく２４時間いつでも設計情報データをあて先に発信する事ができる。その理由として図１１は本電子出図システムの処理手順を時系列に表した図であるが、図１１に示すとおりデータ格納サーバを用い、従来の作業のやり方である送り出し方式ではなく、送信元が必要な時に設計情報データを受け取りにくる引き取り方式を採用したためである。即ち発信元端末は何時でも自分の都合の良い時に２４時間稼動のデータ格納サーバへ設計情報を所定の手続で格納することが出来る。設計情報のアップロードがあり次第、データ格納サーバから送信先端末に設計情報の受信が連絡される。送付先端末の方も自分の都合に合わせて何時でも必要な時に所定の手続で設計情報のダウンロードが出来る。
【００３８】
【発明の効果】
この発明の装置、方法は、大容量のデータを安全に迅速に配布できるものである。また設計情報データを必要とする誰でもが何処からでも利用できる、特定のユーザー対応、特定のシステム対応等で無い一般的なユーザーが利用できる簡便なシステムが得られる。
【図面の簡単な説明】
【図１】本発明の実施形態を示すシステム構成図である。
【図２】本発明の発信元端末に表示される画面の例を示す図である。
【図３】本発明の発信元端末に表示される画面の例を示す図である。
【図４】本発明の発信元端末に表示される画面の例を示す図である。
【図５】本発明の送信先端末に送信されるメール画面の例を示す図である。
【図６】本発明の送信先端末に表示される画面の例を示す図である。
【図７】本発明の送信先端末に表示される画面の例を示す図である。
【図８】本発明の発信元端末に送信されるメール画面の例を示す図である。
【図９】本発明の電子出図システムに利用する３次元モデルデータの例を示す図である。
【図１０】本発明の電子出図システムの処理手順を示すフローチャートである。
【図１１】本電子出図システムの処理手順を時系列に表した図である。
【符号の説明】
１０  設計情報データ発信元端末、  ２０  設計情報データ送付先端末、  ３０  データ格納サーバ、  ４０  通信回線。
【図１】
2004258720.tif 000003
【図２】
2004258720.tif 000004
【図３】
2004258720.tif 000005
【図４】
2004258720.tif 000006
【図５】
2004258720.tif 000007
【図６】
2004258720.tif 000008
【図７】
2004258720.tif 000009
【図８】
2004258720.tif 000010
【図９】
2004258720.tif 000011
【図１０】
2004258720.tif 000012
【図１１】
2004258720.tif 000013